(57)【要約】【課題】  加工が容易であるとともに、開封も容易に行うことが可能な封筒を提供する。【解決手段】  少なくとも前面部２と背面部３を有し、内容物を収容する本体部と、前面部２に連接されて折り返される開閉部６と、を有する封筒であって、開閉部６には、前面部２から本体部に向かう方向に沿って易開封線７が形成されていることを特徴とする封筒。【選択図】  図１
2019059536.tif 000002
【特許請求の範囲】
【請求項１】
少なくとも第１面と、第１面と対向する第２面を有し、内容物を収容する本体部と、前記第１面に連接されて折り返される開閉部と、を有する封筒であって、
前記開閉部には、前記第１面との連接部と、当該連接部に対向する端縁を結ぶ方向に沿って易開封線が形成されていることを特徴とする封筒。
【請求項２】
前記本体部は、前記第１面に連接され、前記第１面と前記第２面の間に折り込まれて前記第２面と接着された側片部をさらに有し、
前記第２面には、前記第１面との連接部と、当該連接部に対向する端縁を結ぶ方向に沿って第２の易開封線が形成されており、当該第２の易開封線は、前記第２面の長手方向において、前記易開封線よりも側片部寄りに形成されていることを特徴とする請求項１に記載の封筒。
【請求項３】
前記易開封線は、前記第１面との連接部から、当該連接部に対向する端縁に亘って形成されていることを特徴とする請求項１または請求項２に記載の封筒。
【発明の詳細な説明】
【技術分野】
【０００１】
本発明は、内容物を封入するための封筒に関する。
【背景技術】
【０００２】
従来、紙片等の内容物を収容して、配送等に用いるための封筒が利用されている。封筒は、内容物を収容する本体部と、本体部と連続する開閉部（フラップ部）により形成されており、本体部の開口を覆うようにして本体部に貼着されている開閉部を剥離することにより、封筒を開封し、内容物を取り出すようになっているものが多い。開閉部を単に本体部に貼着しただけの封筒では、開閉部を本体部から剥離し難いという問題があり、開封を容易にするため、開閉部に切り取り用ミシン目を形成することも提案されている（特許文献１参照）。
【先行技術文献】
【特許文献】
【０００３】
【特許文献１】特開２００４−２１０３６０号公報
【発明の概要】
【発明が解決しようとする課題】
【０００４】
特許文献１に記載の封筒では、開閉部に有価物表示された部分を切り取り用ミシン目で切り取ると同時に開封が行われるため、開封は容易になっている。しかしながら、特許文献１に記載の封筒では、切り取り用ミシン目の加工形態が複雑となってしまうという問題がある。また、利用者からは、容易、迅速に封筒を開封したいという要望もある。
【０００５】
そこで、本発明は、加工が容易であるとともに、開封も容易に行うことが可能な封筒を提供することを課題とする。
【課題を解決するための手段】
【０００６】
上記課題を解決するため、本発明では、
少なくとも第１面と、第１面と対向する第２面を有し、内容物を収容する本体部と、前記第１面に連接されて折り返される開閉部と、を有する封筒であって、
前記開閉部には、前記第１面との連接部（６ａ）と、当該連接部に対向する端縁（６ｂ）を結ぶ方向に沿って易開封線が形成されていることを特徴とする封筒を提供する。
【０００７】
前記本体部は、前記第１面に連接され、前記第１面と前記第２面の間に折り込まれて前記第２面と接着された側片部をさらに有し、
前記第２面には、前記第１面との連接部（３ａ）と、当該連接部に対向する端縁（３ｂ）を結ぶ方向に沿って第２の易開封線が形成されており、当該第２の易開封線は、前記第２面の長手方向において、前記易開封線よりも側片部寄りに形成されていてもよい。
【０００８】
前記易開封線は、前記第１面との連接部から、当該連接部に対向する端縁に亘って形成されていてもよい。
【発明の効果】
【０００９】
本発明によれば、加工が容易であるとともに、開封も容易に行うことが可能な封筒を提供することが可能となる。
【図面の簡単な説明】
【００１０】
【図１】本発明第１の実施形態に係る封筒を示す図である。
【図２】本発明第１の実施形態に係る封筒の使用時の状態を示す図である。
【図３】本発明第２の実施形態に係る封筒を示す図である。
【図４】本発明第２の実施形態に係る封筒の使用時の状態を示す図である。
【発明を実施するための形態】
【００１１】
以下、本発明の好適な実施形態について、図面を参照して詳細に説明する。
＜１．第１の実施形態＞
図１は、本発明第１の実施形態に係る封筒を示す図である。このうち、図１（ａ）は、封筒１の展開図であり、図１（ｂ）は、封筒１の組み立て後の平面図である。図１（ａ）に示すように、封筒形成前の展開状態の封筒基材は、前面部２、背面部３、側片部４、側片部５、開閉部６で構成される連続する基材である。３ａ、４ａ、５ａ、６ａはいずれも前面部２との連接部である。図１の状態で全ての連接部が谷折りされて封筒が形成される。図示は省略しているが、側片部４、側片部５においては、図面奥側に接着部が形成されており、側片部４、側片部５、背面部３を折り畳んだ際に、背面部３を側片部４、側片部５に接着可能になっている。また、開閉部６には、接着部１１が形成されており、最後に開閉部６を背面部３に接着して封止可能になっている。前面部２、背面部３は説明の便宜上、相対的な関係により定義した部位であり、どちらが前面であって、どちらが背面であってもよい。したがって、どちらか一方を第１面、他方を第１面に対向する第２面と定義することができる。なお、図示は省略しているが、実際の封筒には、郵便番号記入欄や宛先、差出人等の情報が必要に応じて印刷される。
【００１２】
本実施形態の封筒の特徴は、前面部２に連接されて折り返される開閉部６に易開封線７が形成されている点である。易開封線７は、開封を容易にするために所定の加工が施された線であり、好ましい一例としてミシン目を用いることができる。この易開封線７は、開閉部６の連接部６ａと端縁６ｂを結ぶ方向に沿って形成されている。図１の例では、互いに平行である連接部６ａ、端縁６ｂに直交（成す角度が９０°）する方向に形成されている。易開封線７が形成される方向は、連接部６ａと端縁６ｂを結ぶ方向に直交する方向であることが好ましいが、連接部６ａと端縁６ｂを結ぶ方向に沿った方向であれば、連接部６ａと端縁６ｂを最短で結ぶ方向との成す角度が７０°以上であればよい。連接部６ａと端縁６ｂを最短で結ぶ方向との成す角度が７０°未満であると、易開封線７を切る力が開封方向と離れてしまい、迅速に開封し難くなるためである。易開封線７は、少なくとも一部が接着部１１と重なっていればよいが、開閉部６の一部の切り取りを容易にするため、開封方向（図面上下方向）における接着部１１の全幅を横切るように形成されていることが好ましい。
【００１３】
易開封線７は、端縁６ｂから連接部６ａに亘って開閉部６を横断するように形成されていてもよいが、連接部６ａに達するまで形成されていなくてもよい。開封する際のきっかけとなり、その後、ある範囲まで切り取りをガイドできればよいためである。易開封線７の長さＬは、易開封線７と平行な方向における連接部６ａと端縁６ｂの間隔Ｈの１／２以上であることが好ましい。１／２より短いと切り始めた後のガイドが上手くいかず、開封し難くなるためである。図１の例のように、易開封線７が連接部６ａおよび端縁６ｂと直交する方向に形成されている場合、Ｈは開閉部６の幅（連接部６ａと端縁６ｂの距離）を示すことになる。易開封線７が、端縁６ｂから連接部６ａの全範囲に亘って開閉部６を横断するように形成されている場合、すなわち（易開封線７の長さＬ）＝（連接部６ａと端縁６ｂの間隔Ｈ）である場合、より容易に開閉部６の一部を切り取り易くなる。
【００１４】
開閉部６の長手方向（図面左右方向）における、易開封線７の形成位置は、開閉部６の長手方向の長さにも影響されるが、開閉部６の長手方向の長さの１／３よりも一方の端部側に寄った位置とすることが好ましい。さらに、側片部４を折り返した際の側片部４の端部の位置よりも中央寄りの位置であることが好ましい。折り返した際の側片部４の端部の位置よりも中央寄りであることにより、後述するように、易開封線７から開閉部６の一部を切り裂いた際、側片部４の上端側が、左右の幅全体に亘って開封されることになり、後に側片部４からの開封を容易にするためである。
【００１５】
図１（ａ）に示した封筒基材において、連接部４ａで谷折りして側片部４を前面部２に重ね、連接部５ａで谷折りして側片部５を前面部２に重ねた後、連接部３ａで谷折りして背面部３を側片部４、側片部５に重ねる。この際、側片部４、側片部５に形成された接着部により背面部３が側片部４、側片部５それぞれと接着され、前面部２、背面部３、側片部４、側片部５により本体部が形成される。図１（ｂ）は、本体部が形成された状態の封筒１を示す図である。本体部は、内容物を収容可能な開口９を有するものである。図１（ｂ）においては、図面上方から内容物を挿入可能になっている。図１（ｂ）に示したような状態において、封筒１は、商品として流通されることになる。
【００１６】
図２は、封筒１の利用時の様子を示す図である。図１（ｂ）に示したような状態の封筒１に、内容物を収容後、連接部６ａで谷折りして前面部２を背面部３に重ねる。この際、前面部２に形成された接着部により前面部２が背面部３に接着され、封筒１が封緘される。この結果、図２（ａ）に示すような封緘された封筒１が得られる。
【００１７】
図２（ａ）に示すように、開閉部６の易開封線７付近には、案内表示８ａが印刷されている。具体的には、案内表示８ａとして、開封順序を示す丸付き数字が、方向を示す矢印とともに印刷されている。案内表示８ａは、図２（ａ）に丸付き数字で示すように１番目の作業であることを示している。利用者は、この案内表示８ａに従って、開閉部６の図面左側を引っ張って、易開封線７を矢印の方向に引っ張る。これにより、易開封線７が裂かれて、図２（ｂ）に示すように、開閉部６の一部６ｃは、開閉部６の大部分から切り離され、開口９の一部とともに、背面部３の左上端３ｃ付近が表出する。なお、ここでは、連接部３ａを谷折りして背面部３を折り返した図２の状態を用いて説明する便宜上、「左上端３ｃ」と表現しているが、背面部３の一端部であればよく、「左上」の語句に限定されるものではない。
【００１８】
図２（ｂ）に示すように、表出した背面部３の左上端３ｃ付近には、案内表示８ｂが印刷されている。具体的には、案内表示８ｂとして、開封順序を示す丸付き数字が、方向を示す矢印とともに印刷されている。案内表示８ｂは、図２（ｂ）に丸付き数字で示すように２番目の作業であることを示している。また、図２（ｂ）において、矩形状の一点鎖線で囲まれた箇所は、接着部１０が形成された領域を示している。接着部１０は、側片部４を折り畳んだ際に、背面部３と対向する側に形成されており、背面部３と側片部４を接着している。なお、図示は省略しているが、側片部５にも、側片部５を折り畳んだ際に、背面部３と対向する側に接着部が形成されており、背面部３と側片部５を接着している。
【００１９】
図２（ｂ）に示すように、背面部３の左上端３ｃを含む所定の範囲は、一点鎖線で囲まれた接着部１０から外れた非接着領域となっている。このため、左上端３ｃの部分から背面部３と側片部４の間に指先を挿入することができる。そして、案内表示８ｂに従って、背面部３の左上端３ｃ付近を矢印の方向に引っ張る。これにより、接着部１０により比較的弱い接着力で接着されていた背面部３と側片部４が剥離される。この結果、図２（ｃ）に示すように、側片部４が大きく表出する。側片部４は、背面部３以外には接着されていないため、背面部３から剥離されると、摘んで引っ張るだけで容易に外側に出すことができる。これにより図面左側に本体部が形成する収容部と直結する大きな開口ができ、内容物を取り出すことができる。第１の実施形態によれば、開閉部６には、前面部２との連接部６ａと、連接部６ａに対向する端縁６ｂを結ぶ方向に沿って易開封線７が形成されているため、開閉部６の一部を切り開き、側片部４と重なる背面部３の端部（左上端３ｃ）を表出させることができ、側片部４を摘んで出すことにより容易に開封することができる。
【００２０】
＜２．第２の実施形態＞
図３は、本発明第２の実施形態に係る封筒の展開図である。図３において、図１に示した第１の実施形態と同様の箇所については、同一符号を付して説明を省略する。図３（ａ）に示すように、第２の実施形態においては、背面部３に易開封線７ｂ（第２の易開封線）が形成されている。易開封線７ｂは、易開封線７と同様、開封を容易にするために所定の加工が施された線であり、好ましい一例としてミシン目を用いることができる。この易開封線７ｂは、背面部３の連接部３ａと端縁３ｂを結ぶ方向に沿って形成されている。同時に、易開封線７に沿った方向に形成されている。図３の例では、互いに平行である連接部３ａ、端縁３ｂに直交（成す角度が９０°）する方向に形成されており、易開封線７とは平行に形成されている。易開封線７ｂが形成される方向は、連接部３ａと端縁３ｂを結ぶ方向に直交する方向であることが好ましいが、連接部３ａと端縁３ｂを結ぶ方向に沿った方向であれば、連接部３ａと端縁３ｂを最短で結ぶ方向との成す角度が７０°以上であればよい。連接部３ａと端縁３ｂを最短で結ぶ方向との成す角度が７０°未満であると、易開封線７ｂを切る力が開封方向と離れてしまい、迅速に開封し難くなるためである。
【００２１】
易開封線７ｂは、端縁３ｂから連接部３ａに亘って開閉部６を横断するように形成されていてもよいが、連接部３ａに達するまで形成されていなくてもよい。開封する際のきっかけとなり、その後、ある範囲まで切り取りをガイドできればよいためである。易開封線７ｂの長さＬ２は、易開封線７ｂと平行な方向における連接部３ａと端縁３ｂの間隔Ｈ２の１／２以上であることが好ましい。１／２より短いと、切り始めた後のガイドが上手くいかず、開封し難くなるためである。図３の例のように、易開封線７ｂが連接部３ａおよび端縁３ｂと直交する方向に形成されている場合、Ｈ２は背面部３の幅（連接部３ａと端縁３ｂの距離）を示すことになる。
【００２２】
背面部３の長手方向（図面左右方向）における、易開封線７ｂの形成位置は、背面部３の長手方向の長さにも影響されるが、背面部３の長手方向の長さの１／３よりも連接部４ａ側に寄った位置とすることが好ましい。また、背面部３の長手方向における、易開封線７ｂの形成位置は、易開封線７よりも側片部４および連接部４ａ寄りに形成されていることが好ましい。易開封線７よりも側片部４および連接部４ａ寄りに形成されていることにより、易開封線７を切り裂いたときに、易開封線７ｂが確実に表出するためである。さらに、接着部１０の中央側の端部の位置よりも中央寄りの位置であることが好ましい。すなわち、易開封線７ｂにより背面部３の一部３ｄが切り取られる際、背面部３の一部３ｄ側に接着部１０が位置するように形成されることが好ましい。接着部１０の中央側の端部の位置よりも中央寄りであることにより、易開封線７ｂが接着部１０に掛からず、接着部１０に接着されている背面部３の部分を全て切り取ることができるためである。
【００２３】
図３（ａ）に示した封筒基材において、第１の実施形態と同様、連接部４ａで谷折りして側片部４を前面部２に重ね、連接部５ａで谷折りして側片部５を前面部２に重ねた後、連接部３ａで谷折りして背面部３を側片部４、側片部５に重ねる。この際、側片部４、側片部５に形成された接着部１０等により背面部３が側片部４、側片部５それぞれと接着され、前面部２、背面部３、側片部４、側片部５により本体部が形成される。図３（ｂ）は、本体部が形成された状態の封筒１´を示す図である。本体部は、内容物を収容可能な開口９を有するものである。図３（ｂ）においては、図面上方から内容物を挿入可能になっている。図３（ｂ）に示したような状態において、封筒１´は、商品として流通されることになる。
【００２４】
図４は、封筒１´の利用時の様子を示す図である。図３（ｂ）に示したような状態の封筒１´に、内容物を収容後、連接部６ａで谷折りして前面部２を背面部３に重ねる。この際、開閉部６に形成された接着部１１により前面部２が背面部３に接着され、封筒１´が封緘される。この結果、図４（ａ）に示すような封緘された封筒１´が得られる。
【００２５】
図４（ａ）に示すように、第１の実施形態と同様、開閉部６の易開封線７付近には、案内表示８ａが印刷されている。利用者は、この案内表示８ａに従って、開閉部６の図面左側を引っ張って、易開封線７を矢印の方向に引っ張る。これにより、易開封線７が裂かれて、図４（ｂ）に示すように、開閉部６の一部６ｃは、開閉部６の大部分から切り離され、開口９の一部とともに、背面部３の左上端３ｃ付近が表出する。
【００２６】
図４（ｂ）に示すように、第１の実施形態と同様、表出した背面部３の左上端３ｃ付近には、案内表示８ｂが印刷されている。利用者は、非接着領域となっている、左上端３ｃの部分から背面部３と側片部４の間に指先を挿入し、案内表示８ｂに従って、背面部３の左上端３ｃ付近を矢印の方向に引っ張る。これにより、易開封線７ｂが裂かれて、図４（ｃ）に示すように、背面部３の一部３ｄは、背面部３の大部分から切り離される。この際、接着部１０により比較的弱い接着力で接着されていた背面部３の一部３ｄと側片部４が剥離される。この結果、側片部４が大きく表出するため、摘んで引っ張るだけで容易に外側に出すことができる。これにより図面左側に収容部と直結する大きな開口ができ、内容物を取り出すことができる。第２の実施形態によれば、易開封線７に加えて、背面部３には、前記第１面との連接部（３ａ）と、当該連接部に対向する端縁（３ｂ）を結ぶ方向に沿って易開封線７ｂ（第２の易開封線）が形成されており、易開封線７ｂは、易開封線７よりも側片部４寄り（連接部４ａ寄り）に形成されているので、開閉部６の一部を切り開き、側片部４と重なる背面部３の端部（左上端３ｃ）とともに、易開封線７ｂを表出させた後、易開封線７ｂにより背面部３の一部を切り開き、側片部４を表出させることができるため、側片部４を摘んで出すことにより一層容易に開封することができる。
【００２７】
＜３．材料の例＞
前面部２、背面部３、側片部４、側片部５、開閉部６を構成する封筒基材としては、封筒としての機能に耐え得る印字適性、強度等を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであっても良い。封筒基材の厚さは２０〜２００μｍ程度が好ましい。
【００２８】
接着部１０、接着部１１としては、封筒基材同士を適度な強度で貼り合わせることができるものであれば公知の様々な接着剤を使用できる。製袋用の接着部である接着部１０には、乾燥することで固着する水系アクリルエマルジョン接着剤や、部分的に加圧することで接着する感圧接着剤・粘着剤、加熱により固化反応が促進される感熱接着剤・粘着剤、さらには、高周波乾燥性の接着剤等、封筒基材の素材に対応して、種々のものを用いることができる。また、封筒封緘用の接着部である接着部１１には、開閉部６にアラビア糊等の再湿性の糊を設けておき、封緘時に水等を付着し、封緘するものや、両面テープ方式のもの、さらには、開閉部６と背面部３の両方に糊を設けておく、アドヘアタイプが用いられる。
【００２９】
＜４．封筒の製造＞
上記封筒基材に適した素材のシートを用意する。そして、開閉部６、背面部３となる領域の所定の位置に、それぞれミシン目加工を行うことにより、封筒基材を貫通するミシン目である易開封線７、易開封線７ｂを形成する。続いて、抜型を用いて、シートから、図３（ａ）に示したような封筒基材を打ち抜く。その後、側片部４、側片部５となる領域の所定の位置に製袋用の接着部である接着部１０等を形成する。さらに、開閉部６となる領域の所定の位置に封筒封緘用の接着部である接着部１１を形成する。続いて、折り加工機により折り加工を行い、側片部４、側片部５、背面部３を順に折り畳んで、側片部４と背面部３、側片部５と背面部３を接着し、図３（ｂ）に示したような封筒１´が得られる。なお、第１の実施形態の場合は、第２の易開封線である易開封線７ｂの加工工程が省略される。
【００３０】
以上、本発明の好適な実施形態について説明したが、本発明は上記実施形態に限定されず、種々の変形が可能である。例えば、上記実施形態では、易開封線７、７ｂとしてミシン目を形成したが、分離を容易にする加工であれば、ミシン目以外の形態であってもよい。例えば、封筒基材を貫通しない程度の切り込みを、ハーフカットとして形成するようにしても良い。
【００３１】
また、上記実施形態では、封筒１、１´の長手方向（図面左右方向）において、側片部４に近い側に易開封線７、７ｂを形成したが、長手方向の対象的な位置である側片部５に近い側に易開封線７、７ｂを形成してもよい。ただし、第２の実施形態に示したように、易開封線７ｂを形成する場合は、易開封線７が形成される側の側片部に近い側に形成されることになる。
【符号の説明】
【００３２】
１、１´・・・封筒
２・・・前面部（第１面）
３・・・背面部（第２面）
４、５・・・側片部
６・・・開閉部（フラップ部）
７・・・易開封線
７ｂ・・・易開封線（第２の易開封線）
８ａ、８ｂ・・・案内表示
９・・・開口
１０、１１・・・接着部
【図１】
2019059536.tif 000003
【図２】
2019059536.tif 000004
【図３】
2019059536.tif 000005
【図４】
2019059536.tif 000006